(57)【要約】      （修正有）【課題】遠くの水難者に浮袋体を確実に届けられ、且つ水難者を浮袋体とともに安全な場所に引き寄せ救助することができる遠投水難救助具を提供する。【解決手段】紐状長尺部材８を結びつけるための通し穴５０を有し、水に浮かぶ材料により形成された骨組体１０と、骨組体に保持された圧縮ガス圧縮空気ボンベ１６と、骨組体に保持されたプリント基板１４と、折り畳まれて骨組体に配置され、一方部分が固定具３０を介して骨組体に固定され、気体挿入口が圧縮ガス・圧縮空気開放装置に連結する浮力浮袋体２４、２６と、圧縮ガス圧縮空気ボンベの圧縮ガス・圧縮空気開放装置２８の駆動部と電気的に接続し、骨組体に取り付けられた圧縮ガス開放用手動スイッチ４６と、骨組体に接着された防水防護カバーとを備え、手動スイッチを投入すると、圧縮ガス・圧縮空気開放装置が働き、浮力浮袋体に圧縮ガス圧縮空気ボンベ内のガスが供給される。【選択図】図１
0003196118.tif 000002
【実用新案登録請求の範囲】
【請求項１】
前方部分に紐状長尺部材を結びつけるための通し穴を有し、水に浮かぶ材料により形成された骨組体と、前記骨組体の後方部分に設けられた衝撃吸収体と、圧縮ガス・圧縮空気開放装置を有し、前記骨組体に保持された圧縮ガス圧縮空気ボンベと、前記骨組体に保持された電池と、前記圧縮ガス・圧縮空気開放装置の駆動部と電気的に接続する前記骨組体に保持されたプリント基板と、折り畳まれて前記骨組体に配置され、一方部分が固定具を介して前記骨組体に固定され、気体挿入口が圧縮ガス・圧縮空気開放装置に連結する浮力浮袋体と、前記圧縮ガス・圧縮空気開放装置の駆動部と電気的に接続し、前記骨組体に取り付けられた圧縮ガス開放用手動スイッチと、前記圧縮ガス圧縮空気ボンベ、電池、プリント基板、浮力浮袋体の上に配置され前記骨組体に接着された防水防護カバーとを備え、前記手動スイッチを投入すると、前記圧縮ガス・圧縮空気開放装置が働き、前記浮力浮袋体に圧縮ガス圧縮空気ボンベ内のガスが供給されるようにしたことを特徴とする遠投水難救助具。
【請求項２】
前記骨組体に発光素子を取り付け、該発光素子を前記プリント基板に電気的に接続したことを特徴とする請求項１に記載の遠投水難救助具。
【請求項３】
前記骨組体に電子カメラを取り付け、該カメラを前記プリント基板のＩＣ回路に電気的に接続し、電子カメラの映像データを無線で送信できるようにしたことを特徴とする請求項１に記載の遠投水難救助具。
【請求項４】
前記骨組体にマイクスピーカー装置を取り付け、該装置を前記プリント基板のＩＣ回路に電気的に接続し、音声信号を無線で前記マイクスピーカー装置を通じて送信及び受信できるようにしたことを特徴とする請求項１に記載の遠投水難救助具。
【請求項５】
前記圧縮ガス・圧縮空気開放装置を駆動制御する前記手動スイッチを無線で遠隔操作できるようにしたことを特徴とする請求項１に記載の遠投水難救助具。
【考案の詳細な説明】
【技術分野】
【０００１】
本考案は、釣り竿を使用して溺れている水難者のところに浮力浮袋体の遠投ができ、水難者を浮力浮袋体とともに安全な場所に引き寄せることが可能な水難救助具に関する。
【背景技術】
【０００２】
水難事故の救助を行う際に、ヘリコプターから、水上の広範囲にいる多数の被救助者をおぼれさせることなく救助できる水難救助装置が従来知られている（例えば特許文献１参照）。また、機動性に優れ、遠距離まで救助用の浮袋を投擲出来る水難救助具が従来知られている（例えば特許文献２参照）。
【先行技術文献】
【特許文献】
【０００３】
【特許文献１】特開２０１４−８９１２号公報
【特許文献２】実用新案登録第３００８３３５号
【考案の概要】
【考案が解決しようとする課題】
【０００４】
従来、遠くでおぼれている水難者に救助具を届ける方法としてヘリコプターや、発射装置などを使用するものが知られているが、コストがかかり実用的でないという問題点がある。
本考案は上記問題点を解決することを目的とするものである。
【課題を解決するための手段】
【０００５】
上記目的を達成するため、本考案は、前方部分に紐状長尺部材を結びつけるための通し穴を有し、水に浮かぶ材料により形成された骨組体と、前記骨組体の後方部分に設けられた衝撃吸収体と、圧縮ガス・圧縮空気開放装置を有し、前記骨組体に保持された圧縮ガス圧縮空気ボンベと、前記骨組体に保持された電池と、前記圧縮ガス・圧縮空気開放装置の駆動部と電気的に接続する前記骨組体に保持されたプリント基板と、折り畳まれて前記骨組体に配置され、一方部分が固定具を介して前記骨組体に固定され、気体挿入口が圧縮ガス・圧縮空気開放装置に連結する浮力浮袋体と、前記圧縮ガス・圧縮空気開放装置の駆動部と電気的に接続し、前記骨組体に取り付けられた圧縮ガス開放用手動スイッチと、前記圧縮ガス圧縮空気ボンベ、電池、プリント基板、浮力浮袋体の上に配置され前記骨組体に接着された防水防護カバーとを備え、前記手動スイッチを投入すると、前記圧縮ガス・圧縮空気開放装置が働き、前記浮力浮袋体に圧縮ガス圧縮空気ボンベ内のガスが供給されるようにしたことを特徴とする。
また本考案は、前記骨組体に発光素子を取り付け、該発光素子を前記プリント基板に電気的に接続したことを特徴とする。
また本考案は、前記骨組体に電子カメラを取り付け、該カメラを前記プリント基板のＩＣ回路に電気的に接続し、電子カメラの映像データを無線で送信できるようにしたことを特徴とする。
また本考案は、前記骨組体にマイクスピーカー装置を取り付け、該装置を前記プリント基板のＩＣ回路に電気的に接続し、音声信号を無線で前記マイクスピーカー装置を通じて送信及び受信できるようにしたことを特徴とする。
また本考案は、前記圧縮ガス・圧縮空気開放装置を駆動制御する前記手動スイッチを無線で遠隔操作できるようにしたことを特徴とするものである。
【考案の効果】
【０００６】
本考案は、確実、安全に遠くの水難者に対して浮袋体を届けることができ、且つ浮袋体に掴まった水難者を安全な場所に迅速に引き寄せ救助することができる。
【図面の簡単な説明】
【０００７】
【図１】本考案に係る水難救助具の側面説明図である。
【図２】本考案に係る水難救助具の正面説明図である。
【図３】本考案に係る水難救助具の側面説明図である。
【図４】本考案に係る水難救助具の側面説明図である。
【図５】本考案に係る水難救助具の一部の説明図である。
【図６】本考案の説明図である。
【図７】本考案の説明図である。
【図８】本考案の説明図である。
【考案を実施するための形態】
【０００８】
本考案に係る遠投水難救助具２は、図１に示すように、その後部を、リール４を備えた釣竿６に装備された釣糸などの紐状長尺部材８の先端に連結することができるように構成されている。
救助具２は、その中心部に、水に浮く材料からなるプラスチックからなる骨組体１０を有し、該骨組体１０に各種の救助具構成部品が取り付けられるようになっている。
【０００９】
骨組体１０には、メインスイッチ１２、プリント配線基板１４、小型圧縮ガス圧縮空気ボンベ１６、電池１８，２０、折り畳まれた浮力浮袋体２４，２６が取り付けられ、骨組体１０の後部１０ａには、ＬＥＤなどの赤と緑の発光素子２０，２０、カメラ装置のレンズ２２が取り付けられている。プリント配線基板１４には、アンテナ回路、無線映像ＩＣ回路や、各種ＩＣ回路が内蔵され、電池１８から電源が供給されている。
【００１０】
また、プリント配線基板１４のＩＣ回路には、圧縮ガス圧縮空気ボンベ１６の圧縮ガス・圧縮空気開放装置２８が電気的に接続している。骨組体１０にはマイクスピーカー５２が取り付けられ、プリント配線基板１４と電気的に接続している。浮力浮袋体２４，２６は、折り畳まれて骨組袋１０の両側に配置され、気体挿入口がパイプを介して圧縮ガス・圧縮空気開放装置２８の開閉バルブに連結している。折り畳まれた浮力浮袋体２４，２６の各一方側は、浮袋体固定具３０を介して骨組体１０の取付部に固定され、各他方側は、図５に示すように市販のマジックテープ（登録商標）などからなる接着テープ３２，３４と、薄い永久磁石３６，３８を介して、互いに連結している。図１ではこの連結構造は図示省略している。
【００１１】
図５において、浮袋体２４，２６に引き離す方向に応力がかかると、サンドイッチ状に接着テープ３２，３４にはさまれた永久磁石３６，３８の互いに引き合う力によって、接着テープ３２，３４が剥がれるのを防止し、浮袋体２４，２６の他方側の互いの結合を強固なものとしている。骨組体の後部には、圧縮ガス開放用のスイッチの手動スイッチ片４６，４６が取り付けられている。
【００１２】
手動スイッチ片４６，４６を有する圧縮ガス開放用のスイッチは、プリント配線基板１４に電気的に接合し、スイッチが投入されると圧縮ガス・圧縮空気開放装置２８の弁を開くように構成されている。骨組体１０の両側には、水に浮く材料からなる発泡材などのプラスチックからなる飛行尾翼４０の付いた防水防護カバー４２，４２が接着され、また、骨組体１０の前方部分には発泡材やスポンジなどの軟質性プラスチックからなる衝撃吸収体４４が接着される。衝撃吸収体４４は水難者と接する面が湾曲面を構成し、且つ、本具２と水難者との衝突の衝撃力を吸収するように軟質材により構成されている。本具２の全体形状は、骨組体１０に防水防護カバー４２，４２が接着された状態においてほぼ紡錘形に構成されている。
【００１３】
本具２には、図６に示すように、リール型の釣竿６と無線機４８が組み合わされる。釣竿６に装備された釣糸などの紐状長尺部材８を、本具２の骨組体１０の後部に形成された通し穴５０に通して、紐状長尺部材６の先端を、本具２の後部に連結する。水難者が本具２に抱きついて手でスイッチ片４６，４６をつかみあるいは押圧するとスイッチ片４６，４６が投入され、圧縮ガス・圧縮空気開放装置２８の弁が開き、浮力浮袋体２４，２６に圧縮ガス圧縮空気ボンベ１６内の圧縮気体が瞬間的に圧入され、浮袋体２４，２６が瞬間的に膨張する。
【００１４】
このとき、防水防護カバー４２が骨組体１０から外れる。水難者の様子はカメラレンズ２２やマイクスピーカー５２を介して、無線映像ＩＣ回路及び音声信号処理用ＩＣ回路により、音声信号及び映像信号に変換され、この映像信号及び音声信号は無線によって無線機４８に送信される。救助具２のメインスイッチ１２を入れると、赤い発光素子２０が点滅点灯し、また、無線機４８のメインスイッチを入れ、救助具２の緑色の発光素子２０が点滅点灯して無線機４８の周波数と救助具２の無線回路の周波数とが同調したことを目で確認できるように構成されている。
海や川で人が溺れているのを発見したとき、釣竿６を使って５〜６０メートル離れていても、本具２を水難者に向けて遠投することができる。
【００１５】
水難者が、本具２を掴むと、水難者の手が手動スイッチ片４６，４６に触れ、圧縮空気ガス開放用のスイッチが投入され、浮袋体２４，２６がガスで膨張する。水難者は、膨張した浮袋体２４，２６に掴まることで、水中に沈むのを防ぐことができる。手動スイッチ片４６を備えた圧縮空気ガス開放スイッチは、無線機４８からスイッチオン信号を送信することで救助者側から投入することもできる。水難者が浮袋体２４，２６に掴まっている状態で、紐状長尺部材６をリール４で巻き上げ水難者を本具２とともに救助者側に引き寄せ、水難者をスムーズに救助することができる。
【００１６】
水難者の情況は、無線機４８のモニターに映し出され、水難者と救護者の間で、無線機４８を通じて音声のやり取りを行うことができる。プリント配線基板１４に組み込まれたＩＣ回路は、本具２に取り付けられたカメラやマイクスピーカー、手動スイッチを有する圧縮ガス開放用スイッチなどの電子機器を無線を通じて無線機４８と接続させている。
尚、図８は、本具２と釣竿６と無線機４８をケース５４に収納し製品化した状態の説明図である。
【符号の説明】
【００１７】
２      救助具
４      リール
６      釣竿
８      紐状長尺部材
１０    骨組体
１０ａ  後部
１２    メインスイッチ
１４    プリント配線基板
１６    圧縮ガス圧縮空気ボンベ
１８    電池
２０    ＬＥＤ
２２    カメラレンズ
２４    浮袋体
２６    浮袋体
２８    圧縮空気開放装置
３０    固定具
３２    マジックテープ
３４    マジックテープ
３６    永久磁石
３８    永久磁石
４０    飛行尾翼
４２    カバー
４４    衝撃吸収体
４６    手動スイッチ片
４８    無線機
５０    通し穴
５２    マイクスピーカー
５４    ケース
【図１】
0003196118.tif 000003
【図２】
0003196118.tif 000004
【図３】
0003196118.tif 000005
【図４】
0003196118.tif 000006
【図５】
0003196118.tif 000007
【図６】
0003196118.tif 000008
【図７】
0003196118.tif 000009
【図８】
0003196118.tif 000010